(57)【特許請求の範囲】
【請求項１】
建物に複数台を幅方向に並べて設置し、トラスにより構成部品を支持する乗客コンベアにおいて、
各乗客コンベアは、その乗降口側に、建物に対して乗客コンベアのトラスを支持するための支持アングルを備え、
任意の階で隣り合う乗客コンベアの支持アングルのうち、一方の支持アングルを建物に対して固定支持とし、他方の支持アングルを建物に対して非固定支持とし、
支持アングルを固定支持とした乗客コンベアのトラス底面に固定されると共に、支持アングルを非固定支持とした隣り合う乗客コンベアのトラス底面の下に重なるように突出する梁材を設けた
ことを特徴とする乗客コンベア。
【請求項２】
支持アングルは、建物側に係止する端部の下端角部に面取りが施されており、
支持アングルを固定支持とした乗客コンベアのトラス底面に設けた梁材は、支持アングルを非固定支持とした隣り合う乗客コンベアのトラス底面と高さ方向に、支持アングル端部の面取り寸法よりも小さな隙間を設けて配置した
ことを特徴とする請求項１に記載の乗客コンベア。
【請求項３】
支持アングルを固定支持とした乗客コンベアのトラス底面に設けた梁材は、その終端部を建物の壁や梁等の固定物に固定する構造とした
ことを特徴とする請求項１又は２に記載の乗客コンベア。
【請求項４】
支持アングルを固定支持とした乗客コンベアのトラス底面に設けた梁材は、そのトラス底面にボルト類等の取り外し可能な固定具で固定した
ことを特徴とする請求項１に記載の乗客コンベア。
【請求項５】
支持アングルを固定支持とした乗客コンベアのトラス底面に設けた梁材は、支持アングルを非固定支持とした乗客コンベアのトラス底面の幅方向の変位を拘束するストッパーを備えた
ことを特徴とする請求項１に記載の乗客コンベア。
【発明の詳細な説明】
【技術分野】
【０００１】
本発明の実施形態は、乗客コンベアに関する。
【背景技術】
【０００２】
エスカレーター等の乗客コンベアの建物への設置については、「昇降機耐震設計・施工指針２００９年版」に詳細に記載されている。すなわち、例えばエスカレーターに関して、地震時の建物の層間変形によって生じる上下階の建物の梁などの支持部材間隔の変化が原因となって、エスカレーターのトラス支持アングルが建物の梁などの支持部材から外れてエスカレーターの本体が落下しないように、エスカレーターの一端のトラス支持アングルを建物の梁などの支持部材に堅固に固定し、他端のトラス支持アングルは建物の梁などの支持部で固定せずに支持部材へのかかり代を十分にとる構造となっている。
【０００３】
また、地震時にエスカレーター本体の落下を防止する技術としては、エスカレーターのトラス支持アングルが建物の梁などの支持部材から外れた場合に、それに連動して建物側から突出する支持片によってトラス支持アングルを支持する内容の提案がなされている。
【先行技術文献】
【特許文献】
【０００４】
【特許文献１】特開２００７−２９０７８５号公報
【発明の概要】
【発明が解決しようとする課題】
【０００５】
しかしながら、想定外の大規模地震が発生した場合には、トラス支持アングルが建物の梁から外れてエスカレーター本体が落下する可能性があり、前述の落下防止技術の提案では、次のような課題がある。
【０００６】
地震による層間変形が生じたことで建物側から突出する支持片にトラス支持アングルが支持される状態となった際に、建物の変形が元に戻ろうとしたり、さらに地震が継続して逆方向の変形が発生した場合には、トラス支持アングルが建物の間に挟まってエスカレーター本体を圧縮変形させる。さらに地震が継続する場合には、支持片からトラス支持アングルから外れて、エスカレーター本体の落下に至る。
【０００７】
本発明の実施形態に係る乗客コンベアは、建物に複数台を並列又は交差して幅方向に並べて設置するエスカレーター等の乗客コンベアにおいて、想定外の大規模地震により、乗客コンベアの両端部を支持する建物側の梁などの支持部材が大きく変位し、この変位によりトラス支持アングルが建物の梁から外れた場合においても、乗客コンベア本体が建物から落下するのを防止する構造を備えた乗客コンベアを提供することを目的としている。
【課題を解決するための手段】
【０００８】
本発明の実施形態に係る乗客コンベアは、建物に複数台を幅方向に並べて設置し、トラスにより構成部品を支持する乗客コンベアにおいて、各乗客コンベアは、その乗降口側に、建物に対して乗客コンベアのトラスを支持するための支持アングルを備え、任意の階で隣り合う乗客コンベアの支持アングルのうち、一方の支持アングルを建物に対して固定支持とし、他方の支持アングルを建物に対して非固定支持とし、支持アングルを固定支持とした乗客コンベアのトラス底面に固定されると共に、支持アングルを非固定支持とした隣り合う乗客コンベアのトラス底面の下に重なるように突出する梁材を設けたことを特徴とするものである。
【図面の簡単な説明】
【０００９】
【図１】本発明の第１の実施の形態を示し、建物に２台のエスカレーターａ，ｂが交差するように幅方向に並べて設置した側面図である。
【図２】本発明の第１の実施の形態を示すエスカレーターａの上階の部分平面図である。
【図３】本発明の第１の実施の形態を示すエスカレーターｂの下階の部分平面図である。
【図４】図１におけるＡ矢視図である。
【図５】図１のＢ部拡大図である。
【発明を実施するための形態】
【００１０】
以下、本発明の実施の形態に係るエスカレーターについて、図面を参照して説明する。なお、本発明の実施の形態は、エスカレーターに限られるものではない。
【実施例１】
【００１１】
本発明の実施の形態に係るエスカレーターは、その基本構成として、建物等の設置構造物の下階と上階との間にわたって据え付けられるトラスと、チェーンにより無端状に連結されて循環移動する複数の踏段と、踏段を循環移動させる踏段駆動機構と、踏段の両側に配設される一対の欄干と、欄干に巻き掛けられて循環移動する手摺ベルトとを有するものである。そして、前記エスカレーターは、図１に示すように、下階側である１階から上階側である２階）にわたって設置されるエスカレーターａと、前記上階側である２階からさらに上階側である３階にわたって設置されるエスカレーターｂとが、図２に示すように、乗降口を隣り合わせにして、幅方向に並べて設置されている。
【００１２】
前記エスカレーターａは、図１及び図２に示すように、その２階側乗降口におけるトラスの上端外向きに上階支持アングル１ａが設けられ、図１及び図３に示すように、１階側乗降口におけるトラスの上端外向きに下階支持アングル２ａが設けられている。また、図２に示すように、エスカレーターａに並べて設置されるエスカレーターｂは、その２階側乗降口におけるトラスの上端外向きに下階支持アングル２ｂが設けられている。なお、図示は省略するが、エスカレーターｂは、その３階側乗降口におけるトラスの上端外向きに上階支持アングルが設けられており、建物が４階以上の場合や地階を有している場合には、エスカレーターはさらに上下階にわたって同様の構成にて設置される。前記エスカレーターａにおける上階支持アングル１ａとエスカレーターｂにおける下階支持アングル２ｂは、図１及び図２に示すように、建物側の２階支持部材３によって支持されており、エスカレーターａにおける下階支持アングル２ａは、図１及び図３に示すように、建物側の１階支持部材４によって支持されており、このようにしてエスカレーターａ，ｂは建物に支持されている。
【００１３】
前記の支持アングル１ａ，２ａ，２ｂは、少なくとも後述する非固定の支持アングルのみ又は全ての支持アングルが、図４に示すように、建物側に係止する端部の下端角部が丸く切削され、いわゆる面取りが施されている。符号５は面取り部を示す。
【００１４】
そして、エスカレーターａの上階支持アングル１ａは、２階部支持部材３に固定されており、図２に示す符号６ａは、２階部支持部材３に対してエスカレーターａの上階支持アングル１ａを固定したエスカレーターａの固定支持部を示す。また、エスカレーターｂの下階支持アングル２ｂは、２階支持部材３に固定されておらず（非固定）、水平方向に摺動可能であって、図２に示す符号７ｂは、２階支持部材３にエスカレーターｂの下階支持アングル２ｂを載せただけのエスカレーターｂの非固定支持部を示す。一方、エスカレーターａの下階支持アングル２ａは、１階部支持部材４に固定されておらず（非固定）、水平方向に摺動可能であって、図３に示す符号７ａは、１階部支持部材４に対してエスカレーターａの下階支持アングル２ａを載せただけのエスカレーターａの非固定支持部を示す。なお、図での説明は割愛するが、エスカレーターｂの上階支持アングルは３階支持部材に固定支持されている。
【００１５】
図１及び図５において、符号８は上階支持アングル１ａが固定支持されたエスカレーターａの上階部のトラス底面であり、符号９は下階支持アングル２ｂが非固定支持されたエスカレーターｂの下階部のトラス底面である。エスカレーターａの上階部のトラス底面８及びエスカレーターｂの下階部のトラス底面９には、図２及び図５に示すように、梁材１０がエスカレーターａ，ｂの幅方向全長にわたって配されている。
【００１６】
エスカレーターａの上階部のトラス底面８に位置する梁材１０は、図１、図４及び図５に示すようにボルト１１によりエスカレーターａの上階部のトラス底面８に着脱可能に固定されている。また、図５に示すように、建物の壁１３に対して梁材１０の端部が固定されている。符号１４は固定構造部を示す。
【００１７】
一方、エスカレーターｂの下階部のトラス底面９下方に位置する梁材１０は、非固定支持されたエスカレーターｂの下階部のトラス底面９に対して、前記支持アングルの面取り５の高さ寸法よりも小さな隙間Ｋを確保した高さに若干浮かした状態で配置されている。すなわち、梁材１０は、固定支持とした支持アングル１ａのエスカレーターａのトラス底面８に固定され、非固定支持とした支持アングル２ｂのエスカレーターｂのトラス底面９の下に隙間Ｋの間隔を確保して重なるように突出して設けられたものである。
【００１８】
また、梁材１０には、非固定支持とした支持アングル２ｂのエスカレーターｂのトラス底面９側に、図５に示すように、トラス底面９が収まる幅の間隔をあけてストッパー１２が配されており、エスカレーターｂのトラスが水平方向に揺れ動くことがあっても、該ストッパー１２により、その揺動が規制されるため、建物の壁１３及び隣り合うエスカレーターａに衝突しない構造となっている。
【００１９】
以上のように、本実施形態に係るエスカレーターａ，ｂは、トラスにより構成部品を支持されるものであって、建物に複数台を幅方向に並べて設置され、各エスカレーターａ，ｂは、その乗降口側に、建物に対して各エスカレーターａ，ｂのトラスを支持するための支持アングル１ａ，２ａ，２ｂを備え、任意の階で隣り合う乗降口となるエスカレーターａ，ｂの支持アングル１ａ，２ｂのうち、一方の支持アングル１ａを建物に対して固定支持とし、他方の支持アングル２ｂを建物に対して非固定支持とし、支持アングル１ａを固定支持としたエスカレーターａのトラス底面８に、支持アングル２ｂを非固定支持としたエスカレーターｂのトラス底面９の下に重なるように突出する梁材１０を設けた構成である。
【００２０】
また、本実施形態に係るエスカレーターａ，ｂは、支持アングル１ａ，２ａ，２ｂが、建物側に係止する端部の下端角部に面取り５が施されており、支持アングル１ａを固定支持としたエスカレーターａのトラス底面８に設けた梁材１０が、支持アングル２ｂを非固定支持としたエスカレーターｂのトラス底面９と高さ方向に、支持アングル端部の面取り寸法よりも小さな隙間Ｋを設けて配置した構成である。
【００２１】
さらに、本実施形態に係るエスカレーターａ，ｂは、支持アングル１ａを固定支持としたエスカレーターａのトラス底面８に設けた梁材１０が、その終端部を建物の壁１３に固定する構造とした構成である。
【００２２】
さらにまた、本実施形態に係るエスカレーターａ，ｂは、支持アングル１ａを固定支持としたエスカレーターａのトラス底面８に設けた梁材１０が、そのトラス底面８にボルト１１で取り外し可能に固定した構成である。
【００２３】
また、本実施形態に係るエスカレーターａ，ｂは、支持アングル１ａを固定支持としたエスカレーターａのトラス底面８に設けた梁材１０が、支持アングル２ｂを非固定支持としたエスカレーターｂのトラス底面９の幅方向の変位を拘束するストッパー１２を備えた構成である。
【００２４】
本実施形態に係るエスカレーターａ，ｂは、以上に詳述したように構成されているので、当該エスカレーターａ，ｂを配置した建物において、想定外の大規模地震が発生した場合でもエスカレーターａ，ｂは落下しない。地震発生時におけるエスカレーターａ，ｂの動作を以下に説明する。
【００２５】
地震の発生により建物に変形が生じて、建物の２階支持部材３が、エスカレーターａ，ｂの長手方向に対して広がる方向に変位すると、エスカレーターａの上階部は上階支持アングル１ａが建物の２階支持部材３に上階部の固定支持部６ａによって固定されているため、エスカレーターａは本体ごと２階支持部材３と一緒に移動する。すなわち、エスカレーターａは、その上階部が建物に固定されているため、建物の揺れに対してエスカレーターａの上階部は建物と一体に揺れ動く。
【００２６】
一方、エスカレーターｂについては、上階部が３階支持部材に固定されており、下階部は建物の２階支持部材３に対して非固定であるため、下階の支持アングル２ｂは２階支持部材３に対して摺動する。すなわち、エスカレーターｂは、その下階部が建物に固定されていないため、建物の揺れに対してエスカレーターｂの下階部は追随して揺れ動くことはなく、２階支持部材３上を水平移動することになる。
【００２７】
このときに、エスカレーターｂの下階支持アングル２ｂと建物側の２階支持部材３とのかかり代を超えるような変形が建物に生じると、エスカレーターｂの下階支持アングル２ｂは、建物側の２階支持部材３から外れてエスカレーターｂの下階側は落下することになる。しかし、エスカレーターｂは、そのトラス底面９とエスカレーターａに固定された梁材１０の間の隙間Ｋ（通常５ｍｍ以下）の高さだけ落下するだけで梁材１０によって支持され、それ以上は落下しないことになる。
【００２８】
また、この状態から建物の変形が元に戻る場合や逆方向に変形する場合は、建物の２階支持部材３が、エスカレーターａ，ｂの長手方向に対して縮まる方向に変位することとなる。エスカレーターｂの下階側支持アングル２ｂと建物側の２階支持部材３の間に、落下した隙間Ｋの高さ分だけ段差が生じて衝突することとなるが、支持アングル２ｂの端部には隙間Ｋよりも大きな面取り５が設けられているので、支持アングル２ｂは２階支持部材３を乗り越え、２階支持部材３上に支持アングル２ｂが位置することとなり、元の状態となる。
【００２９】
なお、エスカレーターａの上階側に設けた梁１０と同様の構成をエスカレーターａの下階側に備えれば、エスカレーターａも同様の動作を行うものであり、さらに建物が４階以上又は地階を有している場合に各階に設置したエスカレーターに対して、同様の構成を備えれば、同様の動作を行うものである。
【００３０】
以上により、本実施形態に係るエスカレーターａ，ｂは、想定外の地震が発生した場合でもエスカレーターｂが建物から落下することが防止できる。また、同様の仕組みによりエスカレーターａが建物から落下することが防止できる。
【００３１】
また、建物の変形が元に戻る場合や逆方向に変形する場合においても、支持アングル２ｂが２階支持部材３を乗り越えることから、建物に支持アングル２ｂが押されることによりエスカレーターｂのトラス本体を圧縮してエスカレーターｂを変形させることも防止できる。
【００３２】
なお、建物の壁１３に梁材１０の端部を固定していることから、エスカレーターｂの荷重が梁材１０に作用した場合にも十分な強度を確保できる。
【００３３】
さらに、エスカレーターｂが幅方向に揺れた場合においても、梁材１０に設けたストッパー１２によって、幅方向の変位を抑えることができる。
【００３４】
通常時においては、エスカレーターｂの下階部のトラス底面９と、支持アングル１ａが固定支持されたエスカレーターａの上階部のトラス底面８に固定した梁材１０の間には、隙間が設けられていることから、エスカレーターａの支持アングル１ａにエスカレーターｂの荷重が作用することなく、必要以上に支持アングル１ａの強度を確保する必要もない。
【００３５】
また、梁材１０をボルト１１によって着脱可能に取り付けることから、エスカレーターを建物に設置する場合に、梁材１０を外しておけば、作業の邪魔になることはない。
【００３６】
したがって、本実施の形態によれば、想定外の地震が発生した場合にエスカレーターの支持アングルが、建物側の支持部材から外れても、エスカレーター本体の落下を防止することができる。
【００３７】
また、通常時にはここのエスカレーターの荷重は、個々の支持アングルで受けることから、必要以上に強度を持たせた支持アングルとする必要もない。
【００３８】
さらに追加した梁材がエスカレーターを設置するときに邪魔になることもなく、通常のエスカレーターと同様の方法で設置することができる。
【００３９】
なお、本実施例は乗客コンベアとしてエスカレーターを例示して説明したが、動く歩道に対しても適用できるものである。
【００４０】
また、本発明の実施形態を説明したが、これら実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４１】
ａ…エスカレーター
ｂ…エスカレーター
１ａ…エスカレーターａの上階支持アングル
２ａ…エスカレーターａの下階支持アングル
２ｂ…エスカレーターｂの下階支持アングル
３…建物側の２階支持部材
４…建物側の１階支持部材
５…支持アングル端部面取り
６ａ…エスカレーターａ上階固定支持部
７ａ…エスカレーターａ下階非固定支持部
７ｂ…エスカレーターｂ下階非固定支持部
８…エスカレーターａ上階部のトラス底面
９…エスカレーターｂ下階部のトラス底面
１０…梁材
１１…ボルト
１２…ストッパー
１３…建物の壁
１４…梁材端部固定構造部
【図１】
0005449467.tif 000002
【図２】
0005449467.tif 000003
【図３】
0005449467.tif 000004
【図４】
0005449467.tif 000005
【図５】
0005449467.tif 000006